(57)【特許請求の範囲】
【請求項１】
無線基地局が、移動局に対して、報知情報によって、ＡＢＳ用の第１オフセット値の初期値を通知する工程と、
前記無線基地局が、前記移動局に対して、ＲＲＣシグナリングによって、ＡＢＳ用の第２オフセット値の初期値を通知する工程と、
前記移動局が、前記第１オフセット値の初期値及び前記第２オフセット値の初期値に基づいて、ＡＢＳにおける下りデータ信号に対する復調処理を行う工程とを有する工程とを有し、
前記ＡＢＳ用の第１オフセット値は、ＡＢＳにおいて、セル特有参照信号が送信される期間における物理下りリンク共有チャネル上の送信電力と該セル特有参照信号が送信されない期間における物理下りリンク共有チャネル上の送信電力との比を示す値であり、
前記ＡＢＳ用の第２オフセット値は、ＡＢＳにおいて、前記セル特有参照信号が送信されない期間における物理下りリンク共有チャネル上の送信電力と該セル特有参照信号の送信電力との比を示す値であることを特徴とする移動通信方法。
【請求項２】
前記無線基地局が、ＭＡＣ  Ｃｏｎｔｒｏｌ  Ｅｌｅｍｅｎｔによって、前記ＡＢＳ用の第１オフセット値の初期値からの差分情報及び前記ＡＢＳ用の第２オフセット値の初期値からの差分情報を通知する工程を有することを特徴とする請求項１に記載の移動通信方法。
【請求項３】
前記無線基地局が、物理下りリンク制御チャネルを介して、前記ＡＢＳ用の第１オフセット値の初期値からの差分情報及び前記ＡＢＳ用の第２オフセット値の初期値からの差分情報を通知する工程を有することを特徴とする請求項１に記載の移動通信方法。
【請求項４】
移動局に対して、報知情報によって、ＡＢＳ用の第１オフセット値の初期値を通知し、ＲＲＣシグナリングによって、ＡＢＳ用の第２オフセット値の初期値を通知するように構成されている送信部を具備し、
前記ＡＢＳ用の第１オフセット値は、ＡＢＳにおいて、セル特有参照信号が送信される期間における物理下りリンク共有チャネル上の送信電力と該セル特有参照信号が送信されない期間における物理下りリンク共有チャネル上の送信電力との比を示す値であり、
前記ＡＢＳ用の第２オフセット値は、ＡＢＳにおいて、前記セル特有参照信号が送信されない期間における物理下りリンク共有チャネル上の送信電力と該セル特有参照信号の送信電力との比を示す値であることを特徴とする無線基地局。
【請求項５】
前記送信部は、ＭＡＣ  Ｃｏｎｔｒｏｌ  Ｅｌｅｍｅｎｔによって、前記ＡＢＳ用の第１オフセット値の初期値からの差分情報及び前記ＡＢＳ用の第２オフセット値の初期値からの差分情報を通知するように構成されていることを特徴とする請求項４に記載の無線基地局。
【請求項６】
前記送信部は、物理下りリンク制御チャネルを介して、前記ＡＢＳ用の第１オフセット値の初期値からの差分情報及び前記ＡＢＳ用の第２オフセット値の初期値からの差分情報を通知するように構成されていることを特徴とする請求項４に記載の無線基地局。
【請求項７】
無線基地局から、報知情報を介して、ＡＢＳ用の第１オフセット値の初期値を取得し、ＲＲＣシグナリングを介して、ＡＢＳ用の第２オフセット値の初期値を取得するように構成されているオフセット値取得部と、
前記ＡＢＳ用の第１オフセット値の初期値及び前記ＡＢＳ用の第２オフセット値の初期値に基づいて、ＡＢＳにおける下りデータ信号に対する復調処理を行うように構成されている下りデータ受信部とを具備し、
前記ＡＢＳ用の第１オフセット値は、ＡＢＳにおいて、セル特有参照信号が送信される期間における物理下りリンク共有チャネル上の送信電力と該セル特有参照信号が送信されない期間における物理下りリンク共有チャネル上の送信電力との比を示す値であり、
前記ＡＢＳ用の第２オフセット値は、ＡＢＳにおいて、前記セル特有参照信号が送信されない期間における物理下りリンク共有チャネル上の送信電力と該セル特有参照信号の送信電力との比を示す値であることを特徴とする移動局。
【請求項８】
前記オフセット値取得部は、ＭＡＣ  Ｃｏｎｔｒｏｌ  Ｅｌｅｍｅｎｔを介して、前記ＡＢＳ用の第１オフセット値の初期値からの差分情報及び前記ＡＢＳ用の第２オフセット値の初期値からの差分情報を取得するように構成されていることを特徴とする請求項７に記載の移動局。
【請求項９】
前記オフセット値取得部は、物理下りリンク制御チャネルを介して、前記ＡＢＳ用の第１オフセット値の初期値からの差分情報及び前記ＡＢＳ用の第２オフセット値の初期値からの差分情報を取得するように構成されていることを特徴とする請求項７に記載の移動局。
【発明の詳細な説明】
【技術分野】
【０００１】
本発明は、移動通信方法、無線基地局及び移動局に関する。
【背景技術】
【０００２】
ＬＴＥ方式における「ｅＩＣＩＣ（Ｅｎｈａｎｃｅｄ  Ｉｎｔｅｒ-Ｃｅｌｌ  Ｉｎｔｅｒｆｅｒｅｎｃｅ  Ｃｏｏｒｄｉｎａｔｉｏｎ）」では、図１１（ａ）に示すように、無線基地局ｅＮＢは、ＡＢＳ（Ａｌｍｏｓｔ  Ｂｌａｎｋ  Ｓｕｂｆｒａｍｅ）において、ピコセルで「ＲＲＣ  Ｃｏｎｎｅｃｔｅｄ状態」の移動局ＵＥ干渉を与えない範囲で、マクロセルで「ＲＲＣ  Ｃｏｎｎｅｃｔｅｄ状態」の移動局ＵＥに対して、ＰＤＳＣＨ（Ｐｈｙｓｉｃａｌ  Ｄｏｗｎｌｉｎｇ  Ｓｈａｒｅｄ  Ｃｈａｎｎｅｌ、物理下りリンク共有チャネル）上の送信電力を下げることが検討されている。
【０００３】
ただし、１６ＱＡＭや６４ＱＡＭが適用されている場合、移動局ＵＥは、シグナリングされたＣＲＳ（Ｃｅｌｌ-ｓｐｅｃｉｆｉｃ  Ｒｅｆｅｒｅｎｃｅ  Ｓｉｇｎａｌ）の送信電力とＰＤＳＣＨ上の送信電力とのオフセット値に基づいて、受信信号の振幅推定を行うため、ＡＢＳのおいてのみ、ＰＤＳＣＨ上の送信電力を下げると、受信信号に対する適切な復調処理を行うことができないという問題点があった。
【０００４】
かかる問題点を解決するために、図１１（ｂ）に示すように、無線基地局ｅＮＢが、移動局ＵＥに対して、上位レイヤで、ＡＢＳにおけるオフセット値をシグナリングすることが提案されている（例えば、非特許文献１及び２参照）。
【先行技術文献】
【非特許文献】
【０００５】
【非特許文献１】３ＧＰＰ寄書  Ｒ１-１１４２９９
【非特許文献２】３ＧＰＰ寄書  Ｒ１-１１３９７８
【発明の概要】
【発明が解決しようとする課題】
【０００６】
しかしながら、上述の提案では、具体的に、どのプロトコルを用いてどのタイミングでどのような値についてシグナリングを行うべきかといった具体的な内容について開示されていない。
【０００７】
したがって、上述の提案では、実際に、移動局ＵＥは、ＡＢＳにおける受信信号に対する適切な復調処理を行うことができないという問題点があった。
【０００８】
そこで、本発明は、上述の課題に鑑みてなされたものであり、ＡＢＳにおける受信信号に対する適切な復調処理を行うことができる移動通信方法、無線基地局及び移動局を提供することを目的とする。
【課題を解決するための手段】
【０００９】
本発明の第１の特徴は、移動通信方法であって、無線基地局が、移動局に対して、報知情報によって、ＡＢＳ用の第１オフセット値の初期値を通知する工程と、前記無線基地局が、前記移動局に対して、ＲＲＣシグナリングによって、ＡＢＳ用の第２オフセット値の初期値を通知する工程と、前記移動局が、前記ＡＢＳ用の第１オフセット値の初期値及び前記ＡＢＳ用の第２オフセット値の初期値に基づいて、ＡＢＳにおける下りデータ信号に対する復調処理を行う工程とを有する工程とを有し、前記ＡＢＳ用の第１オフセット値は、ＡＢＳにおいて、セル特有参照信号が送信される期間における物理下りリンク共有チャネル上の送信電力と該セル特有参照信号が送信されない期間における物理下りリンク共有チャネル上の送信電力との比を示す値であり、前記ＡＢＳ用の第２オフセット値は、ＡＢＳにおいて、前記セル特有参照信号が送信されない期間における物理下りリンク共有チャネル上の送信電力と該セル特有参照信号の送信電力との比を示す値であることを要旨とする。
【００１０】
本発明の第２の特徴は、無線基地局であって、移動局に対して、報知情報によって、ＡＢＳ用の第１オフセット値の初期値を通知し、ＲＲＣシグナリングによって、ＡＢＳ用の第２オフセット値の初期値を通知するように構成されている送信部を具備し、前記ＡＢＳ用の第１オフセット値は、ＡＢＳにおいて、セル特有参照信号が送信される期間における物理下りリンク共有チャネル上の送信電力と該セル特有参照信号が送信されない期間における物理下りリンク共有チャネル上の送信電力との比を示す値であり、前記ＡＢＳ用の第２オフセット値は、ＡＢＳにおいて、前記セル特有参照信号が送信されない期間における物理下りリンク共有チャネル上の送信電力と該セル特有参照信号の送信電力との比を示す値であることを要旨とする。
【００１１】
本発明の第３の特徴は、移動局であって、無線基地局から、報知情報を介して、ＡＢＳ用の第１オフセット値の初期値を取得し、ＲＲＣシグナリングを介して、ＡＢＳ用の第２オフセット値の初期値を取得するように構成されているオフセット値取得部と、前記ＡＢＳ用の第１オフセット値の初期値及び前記ＡＢＳ用の第２オフセット値の初期値に基づいて、ＡＢＳにおける下りデータ信号に対する復調処理を行うように構成されている下りデータ受信部とを具備し、前記ＡＢＳ用の第１オフセット値は、ＡＢＳにおいて、セル特有参照信号が送信される期間における物理下りリンク共有チャネル上の送信電力と該セル特有参照信号が送信されない期間における物理下りリンク共有チャネル上の送信電力との比を示す値であり、前記ＡＢＳ用の第２オフセット値は、ＡＢＳにおいて、前記セル特有参照信号が送信されない期間における物理下りリンク共有チャネル上の送信電力と該セル特有参照信号の送信電力との比を示す値であることを要旨とする。
【発明の効果】
【００１２】
以上説明したように、本発明によれば、ＡＢＳにおける受信信号に対する適切な復調処理を行うことができる移動通信方法、無線基地局及び移動局を提供することができる。
【図面の簡単な説明】
【００１３】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムで用いられる「Ｐ_Ａ」及び「Ｐ_Ｂ」について説明するための図である。
【図４】本発明の第１の実施形態に係る移動通信システムで用いられる「ＰＤＳＣＨ-Ｃｏｎｆｉｇ」の一例を示す図である。
【図５】本発明の第１の実施形態に係る移動通信システムで用いられる「ＰＤＳＣＨ-Ｃｏｎｆｉｇ」内の「ＡＢＳＰａｔｔｅｒｎ」の一例を示す図である。
【図６】本発明の第１の実施形態に係る移動通信システムで用いられるＭＡＣ  Ｃｏｎｔｒｏｌ  Ｅｌｅｍｅｎｔの一例を示す図である。
【図７】本発明の第１の実施形態に係る移動局の機能ブロック図である。
【図８】本発明の第１の実施形態に係る移動通信システムの動作を示すシーケンス図である。
【図９】本発明の第１の実施形態に係る移動通信システムの動作を示すシーケンス図である。
【図１０】本発明の第１の実施形態に係る移動通信システムの動作を示すシーケンス図である。
【図１１】従来の移動通信システムの問題点を説明するための図である。
【発明を実施するための形態】
【００１４】
（本発明の第１の実施形態に係る移動通信システム）
図１及び図７を参照して、本発明の第１の実施形態に係る移動通信システムについて説明する。
【００１５】
本実施形態に係る移動通信システムは、ＬＴＥ-Ａｄｖａｎｃｅｄ方式をサポートするものであって、ｅＩＣＩＣをサポートするように構成されている。
【００１６】
図１に示すように、本実施形態に係る移動通信システムでは、無線基地局ｅＮＢは、移動局ＵＥに対して、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下り制御チャネル）を介して、下り制御信号を送信し、ＰＤＳＣＨを介して、下りデータ信号を送信するように構成されている。
【００１７】
また、本実施形態に係る移動通信システムでは、無線基地局ｅＮＢは、配下のセルにおいて、セル特有のＣＲＳを送信するように構成されている。
【００１８】
ここで、無線基地局ｅＮＢは、ＡＢＳにおいても、下りデータ信号や下り制御信号やＣＲＳを送信するように構成されている、なお、ＡＢＳにおける下りデータ信号や下り制御信号の送信電力は、ＡＢＳ以外のサブフレームにおける下りデータ信号や下り制御信号の送信電力と比べて低くなるように構成されている。
【００１９】
なお、ＣＲＳの送信電力は、ＡＢＳとＡＢＳ以外のサブフレームとの間で等しくなるように構成されている。
【００２０】
図２に示すように、本実施形態に係る無線基地局ｅＮＢは、制御部１１と、送信部１２とを具備している。
【００２１】
制御部１１は、無線基地局ｅＮＢにおける各種制御を行うように構成されている。例えば、制御部１１は、ＡＢＳパターンを決定したり、ＣＲＳの送信電力を決定したり、ＰＤＳＣＨ上の送信電力を決定したりするように構成されている。
【００２２】
また、制御部１１は、ＡＢＳ用の「Ｐ_Ａ」の初期値や、ＡＢＳ用の「Ｐ_Ｂ」の初期値や、ＡＢＳ用の「Ｐ_Ｂ」の初期値からの差分情報や、ＡＢＳ用の「Ｐ_Ａ」の初期値からの差分情報等を算出するように構成されている。
【００２３】
例えば、図３に示すように、制御部１１は、「ＥＡ/ＥＲＳ」によってＡＢＳ用の「Ｐ_Ａ」を算出し、「ＥＢ/ＥＡ」によってＡＢＳ用の「Ｐ_Ｂ」を算出するように構成されている。
【００２４】
ここで、「ＥＡ」は、ＡＢＳにおいて、ＣＲＳが送信されないＯＦＤＭシンボル＃ＡにおけるＰＤＳＣＨ上の送信電力を示し、「ＥＢ」は、ＡＢＳにおいて、ＣＲＳが送信されるＯＦＤＭシンボル＃ＢにおけるＰＤＳＣＨ上の送信電力を示し、「ＥＲＳ」は、ＣＲＳの送信電力である。
【００２５】
すなわち、ＡＢＳ用の「Ｐ_Ａ」は、ＡＢＳにおいて、ＣＲＳが送信されないＯＦＤＭシンボル＃ＡにおけるＰＤＳＣＨ上の送信電力とＣＲＳの送信電力との比を示す値であり、ＡＢＳ用の「Ｐ_Ｂ」は、ＡＢＳにおいて、ＣＲＳが送信されるＯＦＤＭシンボル＃ＢにおけるＰＤＳＣＨ上の送信電力とＣＲＳが送信されないＯＦＤＭシンボル＃ＡにおけるＰＤＳＣＨ上の送信電力との比を示す値である。
【００２６】
なお、ＡＢＳ用の「Ｐ_Ａ」は、移動局ごとに個別に設定されるオフセット値であり、ＡＢＳ用の「Ｐ_Ｂ」は、セル内で共通に設定されるオフセット値である。
【００２７】
送信部１２は、移動局ＵＥに対して、各種信号を送信するように構成されている。ここで、送信部１２は、移動局ＵＥに対して、ＡＢＳパターンやＡＢＳ用の「Ｐ_Ｂ」の初期値やＡＢＳ用の「Ｐ_Ａ」の初期値やＡＢＳ用の「Ｐ_Ａ」の初期値からの差分情報やＡＢＳ用の「Ｐ_Ｂ」の初期値からの差分情報等を通知するように構成されている。
【００２８】
例えば、送信部１２は、移動局ＵＥに対して、報知情報によって、ＡＢＳパターン及びＡＢＳ用の「Ｐ_Ｂ」の初期値を通知するように構成されていてもよい。
【００２９】
具体的には、送信部１２は、ＳＩＢ（Ｓｙｓｔｅｍ  Ｉｎｆｒｏｍａｔｉｏｎ  Ｂｌｏｃｋ）２内の「ＲａｄｉｏＲｅｓｏｕｒｃｅＣｏｎｆｉｇＣｏｍｍｏｎＳＩＢ」内の「ＰＤＳＣＨ-ＣｏｎｆｉｇＣｏｍｍｏｎ（図４参照）」によって、ＡＢＳパターン（図５参照）及びＡＢＳ用の「Ｐ_Ｂ」の初期値を通知するように構成されていてもよい。
【００３０】
また、送信部１２は、移動局ＵＥに対して、ＲＲＣシグナリングによって、ＡＢＳパターン及びＡＢＳ用の「Ｐ_Ａ」の初期値を通知するように構成されていてもよい。
【００３１】
具体的には、送信部１２は、「ＲＲＣＣｏｎｎｅｃｔｉｏｎＲｅｃｏｎｆｉｇｕｒａｔｉｏｎ」内の「ＲａｄｉｏＲｅｓｏｕｒｃｅＣｏｎｆｉｇＤｅｄｉｃａｔｅｄ」内の「ＰｈｙｓｉｃａｌＣｏｎｆｉｇＤｅｄｉｃａｔｅｄ」内の「ＰＤＳＣＨ-ＣｏｎｆｉｇＤｅｄｉｃａｔｅｄ（図４参照）」によって、ＡＢＳパターン（図５参照）及びＡＢＳ用の「Ｐ_Ａ」の初期値を通知するように構成されていてもよい。
【００３２】
なお、報知情報によって通知されるＡＢＳパターン及びＲＲＣシグナリングによって通知されるＡＢＳパターンは、同一である。
【００３３】
また、送信部１２は、ＭＡＣ  Ｃｏｎｔｒｏｌ  Ｅｌｅｍｅｎｔによって、「Ｐ_Ｂ」の初期値からの差分情報及び「Ｐ_Ａ」の初期値からの差分情報を通知するように構成されていてもよい。
【００３４】
具体的には、送信部１２は、図６に示すように、「Ｐ_Ｂ」の初期値からの差分情報及び「Ｐ_Ａ」の初期値からの差分情報を、それぞれ、ＭＡＣ  Ｃｏｎｔｒｏｌ  Ｅｌｅｍｅｎｔ内の３ビットを用いて通知するように構成されていてもよい。
【００３５】
また、送信部１２は、ＰＤＣＣＨを介して、ＡＢＳ用の「Ｐ_Ｂ」の初期値からの差分情報及びＡＢＳ用の「Ｐ_Ａ」の初期値からの差分情報を取得するように構成されていてもよい。
【００３６】
図７に示すように、移動局ＵＥは、オフセット値取得部２１と、下りデータ信号受信部２２とを具備している。
【００３７】
オフセット値取得部２１は、無線基地局ｅＮＢから、報知情報を介して、ＡＢＳパターン及びＡＢＳ用の「Ｐ_Ｂ」の初期値を取得し、ＲＲＣシグナリングを介して、ＡＢＳパターン及びＡＢＳ用の「Ｐ_Ａ」の初期値を取得するように構成されている。
【００３８】
具体的には、オフセット値取得部２１は、ＳＩＢ２を介して、ＡＢＳパターン及びＡＢＳ用の「Ｐ_Ｂ」の初期値を取得し、「ＲＲＣＣｏｎｎｅｃｔｉｏｎＲｅｃｏｎｆｉｇｕｒａｔｉｏｎ」を介して、ＡＢＳパターン及びＡＢＳ用の「Ｐ_Ａ」の初期値を取得するように構成されていてもよい。
【００３９】
また、オフセット値取得部２１は、ＭＡＣ  Ｃｏｎｔｒｏｌ  Ｅｌｅｍｅｎｔを介して、ＡＢＳ用の「Ｐ_Ｂ」の初期値からの差分情報及びＡＢＳ用の「Ｐ_Ａ」の初期値からの差分情報を取得するように構成されていてもよい。
【００４０】
或いは、オフセット値取得部２１は、ＰＤＣＣＨを介して、ＡＢＳ用の「Ｐ_Ｂ」の初期値からの差分情報及びＡＢＳ用の「Ｐ_Ａ」の初期値からの差分情報を取得するように構成されていてもよい。
【００４１】
下りデータ受信部２２は、ＡＢＳパターン、ＡＢＳ用の「Ｐ_Ｂ」の初期値及びＡＢＳ用の「Ｐ_Ａ」の初期値に基づいて、ＡＢＳにおける下りデータ信号に対する復調処理を行うように構成されている。
【００４２】
具体的には、下りデータ受信部２２は、ＡＢＳ用の「Ｐ_Ｂ」の初期値及びＡＢＳ用の「Ｐ_Ａ」の初期値に基づいて、ＡＢＳにおけるＣＲＳの送信電力とＰＤＳＣＨ上の送信電力との比を算出し、算出した比に基づいて、ＡＢＳにおける下りデータ信号に対する復調処理を行うように構成されている。
【００４３】
以下、図８乃至図１０を参照して、本実施形態に係る移動通信システムの動作について説明する。
【００４４】
第１に、図８を参照して、本実施形態に係る移動通信システムの動作例１について説明する。
【００４５】
図８に示すように、無線基地局ｅＮＢは、ステップＳ１００１において、配下のセルにおけるＡＢＳを設定し、ステップＳ１００２において、ＳＩＢ２を介して、ＡＢＳパターン及びＡＢＳ用の「Ｐ_Ｂ」の初期値を通知し、ステップＳ１００３において、「ＲＲＣＣｏｎｎｅｃｔｉｏｎＲｅｃｏｎｆｉｇｕｒａｔｉｏｎ」を介して、移動局ＵＥに対して、ＡＢＳパターン及びＡＢＳ用の「Ｐ_Ａ」の初期値を通知する。
【００４６】
ステップＳ１００４において、移動局ＵＥは、ＡＢＳパターン、ＡＢＳ用の「Ｐ_Ｂ」の初期値及びＡＢＳ用の「Ｐ_Ａ」の初期値を取得し、無線基地局ｅＮＢに対して「ＲＲＣＣｏｎｎｅｃｔｉｏｎＲｅｃｏｎｆｉｇｕｒａｔｉｏｎＣｏｍｐｌｅｔｅ」を送信する。
【００４７】
その後、ステップＳ１００５において、移動局ＵＥは、ＡＢＳパターン、ＡＢＳ用の「Ｐ_Ｂ」の初期値及びＡＢＳ用の「Ｐ_Ａ」の初期値に基づいて、ＡＢＳにおける下りデータ信号に対する復調処理を行う。
【００４８】
第２に、図９を参照して、本実施形態に係る移動通信システムの動作例２について説明する。
【００４９】
図９に示すように、ステップＳ２００１乃至Ｓ２００５の動作は、図８に示すステップＳ１００１乃至Ｓ１００５の動作と同一である。
【００５０】
無線基地局ｅＮＢは、ステップＳ２００６において、ＡＢＳにおけるＰＤＳＣＨ上の送信電力を変更することを決定すると、ＡＢＳ用の「Ｐ_Ａ」の初期値からの差分情報及びＡＢＳ用の「Ｐ_Ｂ」の初期値からの差分情報を算出し、ステップＳ２００７において、ＭＡＣ  Ｃｏｎｔｒｏｌ  Ｅｌｅｍｅｎｔを介して、移動局ＵＥに対して、算出したＡＢＳ用の「Ｐ_Ａ」の初期値からの差分情報及びＡＢＳ用の「Ｐ_Ｂ」の初期値からの差分情報を通知する。
【００５１】
以降、移動局ＵＥは、ＡＢＳ用の「Ｐ_Ａ」の初期値からの差分情報及びＡＢＳ用の「Ｐ_Ｂ」の初期値からの差分情報に基づいて、ＡＢＳ用の「Ｐ_Ａ」及びＡＢＳ用の「Ｐ_Ｂ」を更新し、ＡＢＳパターン、ＡＢＳ用の「Ｐ_Ｂ」の更新値及びＡＢＳ用の「Ｐ_Ａ」の更新値からに基づいて、ＡＢＳにおける下りデータ信号に対する復調処理を行う。
【００５２】
第３に、図１０を参照して、本実施形態に係る移動通信システムの動作例３について説明する。
【００５３】
図９に示すように、ステップＳ３００１乃至Ｓ３００６の動作は、図９に示すステップＳ２００１乃至Ｓ２００６の動作と同一である。
【００５４】
無線基地局ｅＮＢは、ステップＳ３００７において、ＰＤＣＣＨを介して、移動局ＵＥに対して、算出したＡＢＳ用の「Ｐ_Ａ」の初期値からの差分情報及びＡＢＳ用の「Ｐ_Ｂ」の初期値からの差分情報を通知し、ステップＳ３００８において、かかるＰＤＣＣＨと同一のサブフレームにおいて、ＰＤＳＣＨを介して下りデータ信号を送信する。
【００５５】
以降、移動局ＵＥは、ＡＢＳ用の「Ｐ_Ａ」の初期値からの差分情報及びＡＢＳ用の「Ｐ_Ｂ」の初期値からの差分情報に基づいて、ＡＢＳ用の「Ｐ_Ａ」及びＡＢＳ用の「Ｐ_Ｂ」を更新し、ＡＢＳパターン、ＡＢＳ用の「Ｐ_Ｂ」の更新値及びＡＢＳ用の「Ｐ_Ａ」の更新値からに基づいて、ＡＢＳにおける下りデータ信号に対する復調処理を行う。
【００５６】
本実施形態に係る発明によれば、無線基地局ｅＮＢは、ＳＩＢ２と「ＲＲＣＣｏｎｎｅｃｔｉｏｎＲｅｃｏｎｆｉｇｕｒａｔｉｏｎ」とＭＡＣ  Ｃｏｎｔｒｏｌ  Ｅｌｅｍｅｎｔ'或いは、ＰＤＣＣＨ）とを用いて、適切なタイミングで、移動局ＵＥに対して、ＡＢＳパターン、ＡＢＳ用の「Ｐ_Ｂ」の初期値、ＡＢＳ用の「Ｐ_Ａ」の初期値、ＡＢＳ用の「Ｐ_Ｂ」の初期値からの差分情報及びＡＢＳ用の「Ｐ_Ａ」の初期値からの差分情報を通知することができ、移動局ＵＥは、ＡＢＳにおける受信信号に対する適切な復調処理を行うことができる。
【００５７】
以上に述べた本実施形態の特徴は、以下のように表現されていてもよい。
【００５８】
本実施形態の第１の特徴は、移動通信方法であって、無線基地局ｅＮＢが、移動局ＵＥに対して、ＳＩＢ２（報知情報）によって、ＡＢＳ用の「Ｐ_Ｂ（第１オフセット値）」の初期値を通知する工程と、無線基地局ｅＮＢが、移動局ＵＥに対して、「ＲＲＣＣｏｎｎｅｃｔｉｏｎＲｅｃｏｎｆｉｇｕｒａｔｉｏｎ（ＲＲＣシグナリング）」によって、ＡＢＳ用の「Ｐ_Ａ（第２オフセット値）」の初期値を通知する工程と、移動局ＵＥが、ＡＢＳ用の「Ｐ_Ｂ」の初期値及びＡＢＳ用の「Ｐ_Ａ」の初期値に基づいて、ＡＢＳにおける下りデータ信号に対する復調処理を行う工程とを有する工程とを有し、ＡＢＳ用の「Ｐ_Ｂ」は、ＡＢＳにおいて、ＣＲＳ（セル特有参照信号）が送信されるＯＦＤＭシンボル（期間）＃ＢにおけるＰＤＳＣＨ（物理下りリンク共有チャネル）上の送信電力とＣＲＳが送信されないＯＦＤＭシンボルにおけるＰＤＳＣＨ上の送信電力との比を示す値であり、ＡＢＳ用の「Ｐ_Ａ」は、ＡＢＳにおいて、ＣＲＳが送信されないＯＦＤＭシンボル＃ＡにおけるＰＤＳＣＨ上の送信電力とＣＲＳの送信電力との比を示す値であることを要旨とする。
【００５９】
本実施形態の第１の特徴において、無線基地局ｅＮＢが、ＭＡＣ  Ｃｏｎｔｒｏｌ  Ｅｌｅｍｅｎｔによって、ＡＢＳ用の「Ｐ_Ｂ」の初期値からの差分情報及びＡＢＳ用の「Ｐ_Ａ」の初期値からの差分情報を通知する工程を有してもよい。
【００６０】
本実施形態の第１の特徴において、無線基地局ｅＮＢが、ＰＤＣＣＨ（物理下りリンク制御チャネル）を介して、ＡＢＳ用の「Ｐ_Ｂ」の初期値からの差分情報及びＡＢＳ用の「Ｐ_Ａ」の初期値からの差分情報を通知する工程を有してもよい。
【００６１】
本実施形態の第２の特徴は、無線基地局ｅＮＢであって、移動局ＵＥに対して、ＳＩＢ２によって、ＡＢＳ用の「Ｐ_Ｂ」の初期値を通知し、「ＲＲＣＣｏｎｎｅｃｔｉｏｎＲｅｃｏｎｆｉｇｕｒａｔｉｏｎ」によって、ＡＢＳ用の「Ｐ_Ａ」の初期値を通知するように構成されている送信部１２を具備することを要旨とする。
【００６２】
本実施形態の第２の特徴において、送信部１２は、ＭＡＣ  Ｃｏｎｔｒｏｌ  Ｅｌｅｍｅｎｔによって、ＡＢＳ用の「Ｐ_Ｂ」の初期値からの差分情報及びＡＢＳ用の「Ｐ_Ａ」の初期値からの差分情報を通知するように構成されていてもよい。
【００６３】
本実施形態の第２の特徴において、送信部１２は、ＰＤＣＣＨを介して、ＡＢＳ用の「Ｐ_Ｂ」の初期値からの差分情報及びＡＢＳ用の「Ｐ_Ａ」の初期値からの差分情報を通知するように構成されていてもよい。
【００６４】
本実施形態の第３の特徴は、移動局ＵＥであって、無線基地局ｅＮＢから、ＳＩＢ２を介して、ＡＢＳ用の「Ｐ_Ｂ」の初期値を取得し、「ＲＲＣＣｏｎｎｅｃｔｉｏｎＲｅｃｏｎｆｉｇｕｒａｔｉｏｎ」を介して、ＡＢＳ用の「Ｐ_Ａ」の初期値を取得するように構成されているオフセット値取得部２１と、ＡＢＳ用の「Ｐ_Ｂ」の初期値及びＡＢＳ用の「Ｐ_Ａ」の初期値に基づいて、ＡＢＳにおける下りデータ信号に対する復調処理を行うように構成されている下りデータ受信部２２とを具備することを要旨とする。
【００６５】
本実施形態の第３の特徴において、オフセット値取得部２１は、ＭＡＣ  Ｃｏｎｔｒｏｌ  Ｅｌｅｍｅｎｔを介して、ＡＢＳ用の「Ｐ_Ｂ」の初期値からの差分情報及びＡＢＳ用の「Ｐ_Ａ」の初期値からの差分情報を取得するように構成されていてもよい。
【００６６】
本実施形態の第３の特徴において、オフセット値取得部２１は、ＰＤＣＣＨを介して、ＡＢＳ用の「Ｐ_Ｂ」の初期値からの差分情報及びＡＢＳ用の「Ｐ_Ａ」の初期値からの差分情報を取得するように構成されていてもよい。
【００６７】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００７０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７１】
ｅＮＢ…無線基地局
１１…制御部
１２…送信部
ＵＥ…移動局
２１…オフセット値取得部
２２…下りデータ信号受信部
【図１】
0005837833.tif 000002
【図２】
0005837833.tif 000003
【図３】
0005837833.tif 000004
【図４】
0005837833.tif 000005
【図５】
0005837833.tif 000006
【図６】
0005837833.tif 000007
【図７】
0005837833.tif 000008
【図８】
0005837833.tif 000009
【図９】
0005837833.tif 000010
【図１０】
0005837833.tif 000011
【図１１】
0005837833.tif 000012